(57)【要約】  【課題】  プラグ内部の不用意な露出を防止できるとともに、試験時の作業性を低下させない検圧プラグ及び検圧プラグ用工具セットを提供する。  【解決手段】  工具セットの収納ケース５内には、コンセントアダプター７０が収容される。さらに、収納ケース５の開口部には、着脱工具６０が嵌め込まれる。着脱工具６０は、ツマミ部６１下端の円周突起６３が収納ケース５の開口部内側の円周溝７に嵌め込まれて取り付けられており、ツマミ部６１は収納ケース５の蓋を兼ねている。このように、ツマミ部６１が収納ケース５の蓋を兼ねるので、工具セット自体の蓋が不要になる。この工具セットは、着脱工具６０に蓋体２０が吸着したままの状態では、着脱工具６０を収納ケース５に取り付けることができない。そのため、着脱工具６０を用いて検圧プラグの蓋体２０を取り外し、検圧やエアパージを行った後に、再び蓋体２０を取り付ける際の付け忘れ等を防止することができる。【選択図】    図９
2006184067.tif 000002
【特許請求の範囲】
【請求項１】
ガス配管部材に取り付けられる検圧プラグであって、
内部に弁座を有する中空の本体と、
該本体に着脱可能に取り付けられた、該本体の中空を塞ぐ蓋体と、
前記本体内に配置された弁体と、
前記本体内に配置された、前記弁体を前記弁座に向けて付勢する付勢部材と、
を具備し、
前記蓋体に、該蓋体を前記本体に対して着脱する際に用いる特殊工具にのみ係合する蓋体係合部が形成されており、
前記本体の内周面にメネジが形成されているとともに、前記蓋体の外周面に前記メネジに噛み合うオネジが形成されており、
前記蓋体係合部が、前記蓋体の外周面の一部に形成されており、
前記両ネジが噛み合って前記蓋体が前記本体内に配置された取り付け完了状態で、前記蓋体係合部が前記本体内に埋まることを特徴とする検圧プラグ。
【請求項２】
前記弁体と前記弁座の間に、Ｏリング又はパッキンが配置されていることを特徴とする請求項１記載の検圧プラグ。
【請求項３】
ガス配管部材に取り付けられる検圧プラグであって、
内部に弁座を有する中空の本体と、
該本体に着脱可能に取り付けられた、該本体の中空を塞ぐ蓋体と、
前記本体内に配置された弁体と、
前記本体内に配置された、前記弁体を前記弁座に向けて付勢する付勢部材と、
を具備し、
前記弁体と前記弁座の間に、Ｏリング又はパッキンが配置されていることを特徴とする検圧プラグ。
【請求項４】
ガス配管部材に取り付けられる検圧プラグの中空の本体に、該本体の中空を塞ぐ蓋体を着脱する際に用いる検圧プラグ用着脱工具と、
前記検圧プラグの使用時に、前記本体から前記蓋体を取り外した状態で該本体に接続される検圧プラグ用コンセントアダプターと、
有底筒状の収納ケースと、
を具備する検圧プラグ用工具セットであって、
前記コンセントアダプターが前記収納ケース内に収納されるとともに、前記着脱工具が前記収納ケースの開口端部に取り付けられて該収納ケースの蓋を兼ねることを特徴とする検圧プラグ用工具セット。
【請求項５】
前記着脱工具に前記蓋体を吸着させる吸着部材が設けられており、
該吸着部材に前記蓋体が吸着した状態では、前記コンセントアダプターを収納した前記収納ケースの開口端部に前記着脱工具が取り付け不能となるよう寸法設定されていることを特徴とする請求項４記載の検圧プラグ用工具セット。
【発明の詳細な説明】
【技術分野】
【０００１】
本発明は、ガス配管内の検圧やエアパージ等を行う際に検査機器を繋げる接続口となる検圧プラグ、及び、検圧プラグの本体と蓋体との着脱を行う際に用いる検圧プラグ用工具セットに関する。
【背景技術】
【０００２】
建物等に設置されるガス配管中には、検圧やエアパージ等の各種試験の際に検査機器を繋げる接続口が設けられている。例えば、管路中にガスメータ吊架ユニットを介してガスメータを設置している場合、接続口は、この吊架ユニットのガスメータ下流側の箇所に設けられている。この種の接続口は、一般に、ガス流路内に連通する開口にネジ固定されたプラグを備えており、試験時には、このプラグに検査機器に繋がるホース継手等を接続する。プラグの内部には、ホース継手等の着脱に応じて開閉する弁が設けられている。
【０００３】
このようなガス配管の接続口に用いられるプラグ（弁）としては、例えば特許文献１（特開平７−３３３１００号公報）に開示された『ガス漏れ検査用プラグ』や、特許文献２（特公平８−１００３１号公報）に開示された『スライド弁』がある。これらは、ホース継手（ソケット）を着脱させることによって、弁を開閉する方式のものである。
特許文献１のプラグは、プラグ内の弁の開度を可変できるものであって、エアパージ時の開度を検圧時の開度よりも大きくすることができる。これにより、エアパージに際して、検査機器側への流量を検圧時よりも大きくでき、作業時間を大幅に短縮できる等の利点を得ることができるとされている。
特許文献２のスライド弁は、弁の閉状態における閉塞性能を向上させたものであって、カジリ等やダストが原因となる閉弁不良を生じにくくできるとされている。
【０００４】
【特許文献１】特開平７−３３３１００号公報
【特許文献２】特公平８−１００３１号公報
【発明の開示】
【発明が解決しようとする課題】
【０００５】
ところで、ガス配管の接続口に用いられるプラグ（弁）は、非試験時（通常時）には、外側に保護キャップが被せられる。この保護キャップは、プラグ（弁）の先端に嵌め込む方式のものや、プラグ（弁）の外側にネジ込む方式のもの等があるが、いずれもプラグ（弁）から保護キャップを容易に外すことができる。そのため、不用意に保護キャップが外れてプラグ（弁）の内部が露出し易く、ガス洩れ等を引き起こすおそれがある。これに対し、プラグ（弁）と保護キャップとの結合構造を複雑化して強固にすると、前述のガス洩れ等を引き起こす可能性は低減できるが、試験時にプラグ（弁）から保護キャップを取り外す際に手間がかかるようになり、試験作業性が低下する。このため、プラグ（弁）の内部の不用意な露出を防止できるとともに、試験時の作業性を低下させないようなガス配管の接続口の構造が求められている。
【０００６】
本発明は、このような課題を解決するためになされたものであって、プラグ内部の不用意な露出を防止できるとともに、試験時の作業性を低下させない検圧プラグ及び検圧プラグ用工具セットを提供することを目的とする。
【課題を解決するための手段】
【０００７】
本発明の第１の検圧プラグは、  ガス配管部材に取り付けられる検圧プラグであって、  内部に弁座を有する中空の本体と、  該本体に着脱可能に取り付けられた、該本体の中空を塞ぐ蓋体と、  前記本体内に配置された弁体と、  前記本体内に配置された、前記弁体を前記弁座に向けて付勢する付勢部材と、を具備し、  前記蓋体に、該蓋体を前記本体に対して着脱する際に用いる特殊工具にのみ係合する蓋体係合部が形成されており、  前記本体の内周面にメネジが形成されているとともに、前記蓋体の外周面に前記メネジに噛み合うオネジが形成されており、  前記蓋体係合部が、前記蓋体の外周面の一部に形成されており、  前記両ネジが噛み合って前記蓋体が前記本体内に配置された取り付け完了状態で、前記蓋体係合部が前記本体内に埋まることを特徴とする。
【０００８】
この検圧プラグによれば、本体と蓋体との結合構造を簡易なネジ結合によって実現できるので、検圧プラグの使用時には、特殊工具を用いることで簡単に本体から蓋体を取り外すことができ、試験時の作業性が低下しない。さらに、蓋体の本体内への取り付け完了状態で蓋体係合部が本体内に埋まるようにしたことで、蓋体の外側からレンチやスパナ等を係合させることができなくなる。これにより、特殊工具を持つ作業者以外の者が、レンチやスパナ等の一般的な工具を用いて本体から蓋体を取り外すことができなくなるので、悪意的に検圧プラグの本体内を露出させることを防止でき、ガス漏れ等を引き起こす可能性を低減できる。
【０００９】
本発明の第１の検圧プラグにおいては、前記弁体と前記弁座の間に、Ｏリング又はパッキンが配置されているものとすることができる。
弁体と弁座が金属接触シールの場合は加工に工数がかかるが、Ｏリング等の弾性体シールの場合は加工工数がかからず、コストが低減される。本発明に係る本体を具備する検圧プラグのように、使用頻度の極めて低いものは、弾性体シールで充分なシール機能・効果を達成することができる。
【００１０】
本発明の第２の検圧プラグは、  ガス配管部材に取り付けられる検圧プラグであって、  内部に弁座を有する中空の本体と、  該本体に着脱可能に取り付けられた、該本体の中空を塞ぐ蓋体と、  前記本体内に配置された弁体と、  前記本体内に配置された、前記弁体を前記弁座に向けて付勢する付勢部材と、を具備し、  前記弁体と前記弁座の間に、Ｏリング又はパッキンが配置されていることを特徴とする。
【００１１】
本発明の検圧プラグ用工具セットは、  ガス配管部材に取り付けられる検圧プラグの中空の本体に、該本体の中空を塞ぐ蓋体を着脱する際に用いる検圧プラグ用着脱工具と、  前記検圧プラグの使用時に、前記本体から前記蓋体を取り外した状態で該本体に接続される検圧プラグ用コンセントアダプターと、  有底筒状の収納ケースと、を具備する検圧プラグ用工具セットであって、  前記コンセントアダプターが前記収納ケース内に収納されるとともに、前記着脱工具が前記収納ケースの開口端部に取り付けられて該収納ケースの蓋を兼ねることを特徴とする。
【００１２】
この工具セットによれば、着脱工具が収納ケースの蓋を兼ねるので、工具セット自体の蓋が不要になる。さらに、着脱工具を摘む等をして収納ケースから取り外した直後に、一旦着脱工具を置く等をすることなく、検圧プラグ蓋体の取り外し作業に移ることができるので、作業がよりスムーズになる。
【００１３】
本発明の検圧プラグ用工具セットにおいては、前記着脱工具に前記蓋体を吸着させる吸着部材が設けられており、  該吸着部材に前記蓋体が吸着した状態では、前記コンセントアダプターを収納した前記収納ケースの開口端部に前記着脱工具が取り付け不能となるよう寸法設定されているものとすることができる。
この場合、着脱工具を用いて検圧プラグ本体から検圧プラグ蓋体を取り外し、検圧やエアパージを行った後に、再び検圧プラグ本体に検圧プラグ蓋体を取り付ける際の付け忘れを防止し易くなる。
【発明の効果】
【００１４】
本発明によれば、プラグ内部の不用意な露出を防止できるとともに、試験時の作業性を低下させない検圧プラグ及び検圧プラグ用工具セットを提供できる。
【発明を実施するための形態】
【００１５】
以下、本発明の実施の形態について、図面を参照しながら詳細に説明する。
まず、図１及び図２を参照しつつ、本発明の一実施の形態に係る検圧プラグについて説明する。
図１は、本発明の一実施の形態に係る検圧プラグの構成を示す断面図である。
図２は、同検圧プラグの構成を示す分解斜視図である。
なお、本実施の形態において、上下、左右とは、特に断らない限り各図における上下、左右を指すものとする。
図１及び図２に示す検圧プラグ１は、銅合金等からなる本体１１を備えている。この本体１１は、中空を有する筒状をしている。本体１１の下端側外周面には、オネジ部１２が形成されている。このオネジ部１２は、ガスメータ吊架ユニット等のガス配管部材の分岐口（プラグ取付口）Ｐに捩じ込まれている。検圧プラグ１の非使用時（通常時）、本体１１の上端には、樹脂製等からなる保護キャップ２が被せられる。
【００１６】
本体１１の内部は、大きく分けて、上端側に開放された蓋体収容部１３と、下端側に開放された弁室部１５と、これら蓋体収容部１３と弁室部１５間の中間部１４とからなる。中間部１４の内径は、蓋体収容部１３、弁室部１５よりも小さい。蓋体収容部１３及び中間部１４上側には蓋体２０が着脱可能に配置され、中間部１４下側及び弁室部１５には弁体３０、コイルバネ４０、座金５０及びストップリング５５が組み込まれる。中間部１４と弁室部１５との間の境界段部端縁は面取り加工されていて、この面取り段部が弁座１９となる。
【００１７】
蓋体２０は、鉄合金等からなる。この蓋体２０の上端外周面には、一対の対向する蓋体係合部２１が形成されている。各蓋体係合部２１は、外周面の一部が平坦に切り欠かれてなる。各蓋体係合部２１は、図１に示す蓋体２０の本体１１への取り付け完了状態において、本体１１の蓋体収容部１３上端内側に埋まる。各蓋体係合部２１は、後述する着脱工具６０（図３参照）の工具係合部６６にのみ係合するようになっている（図６参照）。そのため、特殊工具６０をもつ作業者以外の者が、一般的な工具（ドライバーやレンチ、スパナ等）を用いて本体１１から蓋体２０を取り外すことができず、悪意的に検圧プラグ１の本体１１内を露出させることを防止できるようになっている。
【００１８】
蓋体２０の蓋体係合部２１の下部には、オネジ部２２が形成されている。このオネジ部２２は、本体１１の蓋体収容部１３内面のメネジ部１３ａに噛み合う。蓋体２０のオネジ部２２の下部には、段部２５が形成されている。図１に示すように、この段部２５にはパッキン４１が外嵌される。このパッキン４１は、本体１１の蓋体収容部１３と中間部１４との境界段部１８に当たって、本体１１と蓋体２０間をシールする。蓋体２０の段部２５の下部には、小軸部２７及びその下端の張出部２９が形成されている。張出部２９は、小軸部２７の外径よりも大きく且つ本体１１の中間部１４の内径よりも小さい。図１に示すように、小軸部２７にはＯリング４３が外嵌される。このＯリング４３は、本体１１の中間部１４に当たって、本体１１と蓋体２０間をシールする。本体１１と蓋体２０とは、パッキン４１とＯリング４３とで二重にシールされる。
【００１９】
弁体３０は、銅合金等からなる。この弁体３０は、上端側の主弁部３１と下端側のリング部３３とが一対の連結片３５で繋がれてなる。主弁部３１の外周面には、溝部３１ａが掘り込まれている。図１に示すように、この溝部３１ａにはＯリング４５が外嵌される。このＯリング４５は、弁体３０の主弁部３１と本体１１の弁座１９との間をシールする。弁体３０と本体１１が金属接触シールの場合は加工に工数がかかるが、本実施の形態におけるＯリング４５等の弾性体シールの場合は加工工数がかからず、コストが低減される。本検圧プラグ１のように、使用頻度の極めて低いものは、Ｏリング４５によるシールで充分なシール機能・効果を達成することができる。
【００２０】
弁体３０の主弁部３１において、溝部３１ａ上側の外径は本体１１の中間部１４よりも小さく、溝部３１ａ下側の外径は本体１１の中間部１４よりも大きい。主弁部３１の底面には、凹部３１ｂが掘り込まれている。この凹部３１ｂには、コイルバネ４０の上端が係合される。図１に示すように、弁体３０がコイルバネ４０の付勢力を受けた状態（閉弁状態）において、Ｏリング４５は本体１１の弁座１９に当たり、主弁部３１の上端は本体１１の中間部１４内に配置される。
【００２１】
座金５０は、鋼等製であり、円盤状をしている。この座金５０の上面側中心には、突起５１が形成されている。この突起５１の周囲には、この例では３つの貫通孔５３が形成されている。これら各貫通孔５３は、検圧やエアパージ等の際にガス等の流れる流路となる。座金５０は、本体１１の弁室部１５内の下端側に形成された段部１５ａに係合した状態で、ストップリング５５で固定されている。このストップリング５５は、弁室部１５内の段部１５ａの下側に形成された溝部１５ｂに嵌め込まれている。座金５０の突起５１には、コイルバネ４０の下端が係合される。コイルバネ４０は、弁体３０の主弁部３１と座金５１との間に配置され、弁体３０を上側（本体１１の弁座１９側）に向けて付勢している。
【００２２】
次いで、図３を参照しつつ、本実施の形態に係る特殊工具について説明する。この特殊工具６０は、前述した検圧プラグ１の使用時に本体１１から蓋体２０を取り外し、使用後に再び取り付ける際に用いるものである。
図３は、本実施の形態に係る特殊工具を示す図である。（Ａ）は上面図であり、（Ｂ）は側面図（（Ａ）のＢ線矢視図）であり、（Ｃ）は側面図（（Ａ）のＣ線矢視図）であり、（Ｄ）は（Ａ）のＤ−Ｄ線断面図であり、（Ｅ）は下面図である。
【００２３】
図３に示す特殊工具６０は、プラスチック製等のツマミ部６１を備えている。このツマミ部６１の外周面には、この例では６つの窪み６１ａが等間隔おきに形成されている。これら窪み６１ａは、特殊工具６０を人手で持つ際に指を当て込む部分となる。ツマミ部６１の上面側には、この例では６つの抜き穴６１ｂが形成されている。さらに、ツマミ部６１の下端外周縁には、円周突起６３が形成されている。この円周突起６３の外径は、ツマミ部６１の最大外径よりも小さい（図３（Ｄ）参照）。図９を用いて後述するように、本実施の形態において、特殊工具６０のツマミ部６１は工具セットの蓋を兼ねるものであるが、円周突起６３は、この工具セットの収納ケース５の内側に係止される係止部の役割を果たす。
【００２４】
ツマミ部６１の下面側には、鉄合金等からなる円柱状の工具ブロック６５が埋め込まれている。この工具ブロック６５の下端には、一対の工具係合部６６が形成されている。この工具係合部６６は、前述した蓋体２０の一対の蓋体係合部２１に係合する（後述する図６参照）。工具ブロック６５の下面には、磁石（吸着部材）６７が埋め込まれている。特殊工具６０を用いて蓋体２０の取り付け・取り外しを行う際に、工具ブロック６５の工具係合部６６を蓋体２０の蓋体係合部２１に係合させると、磁石６７によって、鉄合金等製の蓋体２０が工具ブロック６５に吸着される。そのため、蓋体２０の取り付け時及び取り外し後に、人手等で蓋体２０を保持する必要がなく、蓋体２０の検圧プラグ１に対する着脱作業をスムーズに行うことができる。
【００２５】
次いで、図４及び図５を参照しつつ、本実施の形態に係るコンセントアダプターについて説明する。このコンセントアダプターは、前述した検圧プラグ１の使用時において、本体１１から蓋体２０を取り外した状態で、本体１１の蓋体収容部１３に接続されるとともに、検査機器に繋がるコンセントが装着されるものである（後述する図８参照）。
図４は、本実施の形態に係るコンセントアダプターの断面図である。（Ａ）は基体から押し棒が突き出た状態を示す図であり、（Ｂ）は基体内に押し棒が収まった状態を示す図である。
図５は、同コンセントアダプターの押し棒を示す図である。（Ａ）は平面図であり、（Ｂ）は正面図であり、（Ｃ）は側面断面図である。
【００２６】
図４に示すコンセントアダプター７０は、銅合金等からなる基体７１を備えている。この基体７１は、中空を有する筒状をしている。基体７１の下端外周面には、オネジ部（接続部）７２が形成されている。このオネジ部７２は、検圧プラグ１の本体１１の蓋体収容部１３内面のメネジ部１３ａに噛み合う。基体７１のオネジ部７２の上側には、Ｏリング７３が外嵌されている。このＯリング７３の上側には、外側に張り出した張出部７５が形成されている。この張出部７５の外周面には、ローレット加工が施されている。この張出部７５は、コンセントアダプター７０を検圧プラグ１の本体１１に着脱する際のツマミの役割を果たす。
【００２７】
基体７１の上端には、検査機器に繋がるコンセント（後述する図８参照）が装着される装着部７７が形成されている。この装着部７７には、コンセントの係合ボールに係合する括れ部７７ａが形成されている。基体７１の内部は、上側から順に、上端開口８１、大案内孔８３、小案内孔８５が形成されている。大案内孔８３の内径は、上端開口８１、小案内孔８５の内径よりも若干大きい。大案内孔８３及び小案内孔８５には、プラスチック等製の押し棒９１がスライド可能に内挿されて組み付けられている。
【００２８】
図５にわかり易く示すように、押し棒９１は、スリーブ状のスライド部９３を備えている。このスライド部９３の内部は、３つの隔壁（リブ）９５で３等分に区画されている。スライド部９３内の各隔壁９５間のスペースは、検圧やエアパージ等の際にガス等の流れる流路となる。スライド部９３の下端からは、棒状の押圧部９７が延び出ている。一方、スライド部９３の上端には、この例では３つの係止部９９が形成されている。係止部９９は、各隔壁９５間に等間隔おきに形成されている。各係止部９９は、スライド部９３上端が切り込まれてなる一対のスリット９９ａ間の舌片９９ｂからなり、スライド部９３の内外に若干変形可能である。各舌片９９ｂの上端部外側には、爪９９ｃが形成されている。
【００２９】
本実施の形態においては、押し棒９１は、基体７１の下端側から組み付けられる。すなわち、押し棒９１の係止部９９側を基体７１の小案内孔８５に押し込むと、小案内孔８５内面に係止部９９の爪９９ｃが当たり、舌片９９ｂが内側に若干変形して、スライド部９３が小案内孔８５内に挿通可能となる。押し棒９１をさらに押し込むと、係止部９９が大案内孔８３に到達し、舌片９９ｂが外側に復帰する。押し棒９１は、係止部９９の爪９９ｃが、基体７１内の上端開口８１と大案内孔８３との境界段部８２、大案内孔８３と小案内孔８５との境界段部８４に当たることで、上下に抜け止めされる。
【００３０】
逆に、押し棒９１は、舌片９９ｂを内側に変形させた状態で上端開口８１側から引き出すことで、基体７１から抜き取ることができる。このように、押し棒９１を基体７１に対して組み付け・取り外しすることができるので、例えば押し棒９１が経時使用に伴って劣化した場合等には、押し棒９１のみを取り換えてコンセントアダプター７０を引き続き使用することができる。
【００３１】
ここで、図６〜図８を参照して、前述の検圧プラグ１、特殊工具６０、コンセントアダプター７０の使用方法について説明する。
図６（Ａ）は検圧プラグの本体から特殊工具を用いて蓋体を取り外す状態を説明するための断面図であり、図６（Ｂ）は同特殊工具を用いて蓋体を取り外した後の状態を示す図である。
図７は、検圧プラグから蓋体を取り外した後にコンセントアダプターを接続した状態を示す断面図である。
図８は、検圧プラグに接続されたコンセントアダプターにコンセントを装着した状態を示す断面図である。
【００３２】
検圧プラグ１の使用時には、まず、図６（Ａ）に示すように、検圧プラグ１の本体１１に被せられている保護キャップ２（図１参照）を取り外し、蓋体２０を露出させる。そして、特殊工具６０のツマミ部６１を摘んで、本体１１内の蓋体２０の蓋体係合部２１に、特殊工具６０の工具係合部６６を係合させる。そして、特殊工具６０のツマミ部６１を回すと、両係合部２１、６６の係合により蓋体２０も同時に回り、本体１１のメネジ部１３ａから蓋体２０のオネジ部２２が外れる。
【００３３】
蓋体２０が本体１１から完全に外れたとき、図６（Ｂ）に示すように、特殊工具６０の磁石６７によって、蓋体２０が工具ブロック６５に吸着されて保持される。そのため、人手等で蓋体２０を保持しなくとも、取り外した蓋体２０が特殊工具６０から脱落することがなく、蓋体２０の取り外し作業をスムーズに行うことができる。また、取り外した後に蓋体２０を紛失したりすることも防止できる。なお、本体１１から蓋体２０を取り外した後、本体１１内の弁体３０は、コイルバネ４０により上側に付勢された状態のままであるから、弁座１９とＯリング４５との間のシールにより、配管内のガス等が漏れ出ることはない。
【００３４】
次に、図７に示すように、蓋体２０を取り外した状態の検圧プラグ１の本体１１にコンセントアダプター７０を接続する。コンセントアダプター７０は、張出部７５を摘んで、オネジ部７２を本体１１の蓋体収容部１３内面のメネジ部１３ａにネジ込む。本体１１とコンセントアダプター７０の基体７１との間は、Ｏリング７３でシールされる。このとき、コンセントアダプター７０の押し棒９１は、自重により垂下して、押圧部９７下端が弁体３０の主弁部３１上端面に当たるが、押し棒９１から加わる力はコイルバネ４０の付勢力に比べて無視できる程度に極めて小さいので、図６に示す状態と同様に弁体３０は上側に付勢されたままであり、弁座１９とＯリング４５との間のシールにより、配管内のガス等が漏れ出ることはない。
【００３５】
次に、図８に示すように、検圧プラグ１の本体１１に接続したコンセントアダプター７０の装着部７７にコンセント１００を装着する。このコンセント１００は、検圧やエアパージ等の際に用いる検査機器に繋がるゴムホース（図示されず）の端部に設けられているものであって、例えば前述した特許文献２（特公平８−１００３１号公報）に示されているものと同様のものを用いることができる。
【００３６】
この例のコンセント１００は、ソケット（外スリーブ）１０１を備えている。ソケット１０１の端部（図８の下端）には装着口１０３が設けられている。ソケット１０１・装着口１０３には、内スリーブ１０５が内挿されている。ソケット１０１と装着口１０３間には、バネ１０７が設けられている。内スリーブ１０５端部（図８の下端）付近には、コンセントアダプター７０の装着部７７の括れ部７７ａに係合する係合ボール１０５ａが設けられている。内スリーブ１０５内部には、コンセントアダプター７０の押し棒９１上端に当接可能な押え具１０９が設けられている。コンセント１００の基端部１２０（図８の上側）には、検査機器に繋がるゴムホースが接続される。
【００３７】
このコンセント１００のソケット１０１を把持し、装着口１０３をコンセントアダプター７０の装着部７７に当てる。そして、ソケット１０１を押し込むと、バネ１０７が縮むとともに、内スリーブ１０５が押し込まれる。すると、係合ボール１０５ａが装着部７７の括れ部７７ａに係合して固定されるとともに、押え具１０９が押し棒９１に当たって検圧プラグ１の本体１１内に向けて押し込む。このように押し棒９１が押し込まれると、押圧棒９７が弁体３０を押し込み、弁体３０と座金５０との間でコイルバネ４０が縮まり、本体１１内の弁座１９とＯリング４５との間が開いて図８に示す開弁状態となる。なお、押し棒９１は、係止部９９の爪９９ｃが、基体７１内の境界段部８４に当たった時点で止まる。
【００３８】
このようにして、図８中一点鎖線で示すように、ガス配管部材から検査機器へと流路が連通し、検圧やエアパージ等が可能となる。作業終了後は、コンセントアダプター７０からコンセント１００を外すと、コイルバネ４０の弾性により、弁体３０が図７に示す状態（閉弁状態）に復帰する。そして、前述とは逆に、コンセントアダプター７０を取り外し、特殊工具６０を用いて蓋体２０を本体１１に取り付け、保護キャップ２（図１参照）を被せる。
【００３９】
次いで、図９を参照しつつ、本実施の形態に係る工具セットについて説明する。
図９は、本発明の一実施の形態に係る工具セットを示す断面図である。
図９に示す工具セットは、半透明の樹脂材等からなる有底筒状をした収納ケース５を備えている。この収納ケース５は、底側側面の肉厚が開口側側面の肉厚よりも厚く形成されている。収納ケース５の底部には、抜き穴５ａが形成されている。この抜き穴５ａに紐等を通し、作業者の例えば衣服のベルト等に結び付けることで、工具セットの紛失等を防止できる。
【００４０】
収納ケース５内には、前述したコンセントアダプター７０（図４参照）が収容される。コンセントアダプター７０は、装着部７７側を収納ケース５の底部に向けた状態で収容され、張出部７５が収納ケース５内の段部６に当たって受け止められる。さらに、収納ケース５の開口部には、前述した着脱工具６０（図３参照）が嵌め込まれている。着脱工具６０は、ツマミ部６１下端の円周突起６３が収納ケース５の開口部内側の円周溝７に嵌め込まれて取り付けられている。この状態において、着脱工具６０のツマミ部６１は、収納ケース５の蓋を兼ねている。このように、ツマミ部６１が収納ケース５の蓋を兼ねるので、工具セット自体の蓋が不要になる。さらに、工具セットから着脱工具６０を取り外した直後に、一旦着脱工具６０を置く等をすることなく、検圧プラグ１の蓋体２０の取り外し作業に移ることができるので、作業をよりスムーズに行うことができるようになる。
【００４１】
さらに、図９に示す工具セットの収納状態において、着脱工具６０の工具ブロック６５の下端（工具係合部６６の下端）と、収納ケース５内のコンセントアダプター７０の端部との間のスキマｔが１〜２ｍｍ程度となるように、収納ケース５の寸法が設定されている。このスキマｔの寸法に対し、蓋体２０の高さ寸法は１３ｍｍであるため、着脱工具６０に蓋体２０が吸着したままの状態では、着脱工具６０を収納ケース５に取り付けることができない。そのため、着脱工具６０を用いて検圧プラグ１の本体１１から蓋体２０を取り外し、検圧やエアパージを行った後に、再び本体１１に蓋体２０を取り付ける際の付け忘れ等を防止することができる。
【図面の簡単な説明】
【００４２】
【図１】本発明の一実施の形態に係る検圧プラグの構成を示す断面図である。
【図２】同検圧プラグの構成を示す分解斜視図である。
【図３】本実施の形態に係る特殊工具を示す図である。（Ａ）は上面図であり、（Ｂ）は側面図（（Ａ）のＢ線矢視図）であり、（Ｃ）は側面図（（Ａ）のＣ線矢視図）であり、（Ｄ）は（Ａ）のＤ−Ｄ線断面図であり、（Ｅ）は下面図である。
【図４】本実施の形態に係るコンセントアダプターの断面図である。（Ａ）は基体から押し棒が突き出た状態を示す図であり、（Ｂ）は基体内に押し棒が収まった状態を示す図である。
【図５】同コンセントアダプターの押し棒を示す図である。（Ａ）は平面図であり、（Ｂ）は正面図であり、（Ｃ）は側面断面図である。
【図６】図６（Ａ）は検圧プラグの本体から特殊工具を用いて蓋体を取り外す状態を説明するための断面図であり、図６（Ｂ）は同特殊工具を用いて蓋体を取り外した後の状態を示す図である。
【図７】検圧プラグから蓋体を取り外した後にコンセントアダプターを接続した状態を示す断面図である。
【図８】検圧プラグに接続されたコンセントアダプターにコンセントを装着した状態を示す断面図である。
【図９】本発明の一実施の形態に係る工具セットを示す断面図である。
【符号の説明】
【００４３】
１  検圧プラグ
５  収納ケース                                ５ａ  抜き穴
７  円周溝                                    １１  本体
１３  蓋体収容部                              １３ａ  メネジ部
１４  中間部                                  １５  弁室部
１９  弁座                                    ２０  蓋体
２１  蓋体係合部                              ２２  オネジ部
３０  弁体                                    ３１  主弁部
４０  コイルバネ                              ４１  パッキン
４３、４５  Ｏリング                          ５０  座金
６０  特殊工具                                ６１  ツマミ部
６３  円周突起                                ６５  工具ブロック
６６  工具係合部                              ６７  磁石
７０  コンセントアダプター
【図１】
2006184067.tif 000003
【図２】
2006184067.tif 000004
【図３】
2006184067.tif 000005
【図４】
2006184067.tif 000006
【図５】
2006184067.tif 000007
【図６】
2006184067.tif 000008
【図７】
2006184067.tif 000009
【図８】
2006184067.tif 000010
【図９】
2006184067.tif 000011